(57)【要約】ワイヤレス通信をする方法が提供される。方法は、リレーダウンリンク制御情報（Ｒ−ＤＣＩ）ブロックを複数のリソースブロックに送信することを含む。本発明は、また、ワイヤレス通信をする方法を提供し、この方法は、リレーダウンリンク制御情報（Ｒ−ＤＣＩ）ブロックを複数のリソースブロックで受信することを含む。本発明は、また、ワイヤレス通信システムを提供し、該システムは、リレーダウンリンク制御情報（Ｒ−ＤＣＩ）を複数のリソースブロックで送信するように構成されているアクセスノードを含む。【選択図】図２
2012520620.tif 000002
【特許請求の範囲】
【請求項１】
ワイヤレス通信システムであって、該システムは、
リレーダウンリンク制御情報（Ｒ−ＤＣＩ）を複数のリソースブロックで送信するように構成されているアクセスノードを含む、システム。
【請求項２】
前記アクセスノードは、１６直交振幅変調（ＱＡＭ）変調、６４ＱＡＭ変調および２５６ＱＡＭ変調のうちの１つを用いて前記Ｒ−ＤＣＩを送信する、請求項１に記載のシステム。
【請求項３】
前記Ｒ−ＤＣＩは、一定数の交周波数分割多重（ＯＦＤＭ）シンボルで送信される、請求項１に記載のシステム。
【請求項４】
前記Ｒ−ＤＣＩは、一定のＯＦＤＭリソースブロックで送信される、請求項１に記載のシステム。
【請求項５】
前記Ｒ−ＤＣＩは、Ｎ個のＯＦＤＭシンボルで送信され、数Ｎは、より高いレイヤの前記アクセスノードによって信号が送られる、請求項１に記載のシステム。
【請求項６】
前記Ｒ−ＤＣＩは、複数のＯＦＤＭリソースブロックで送信され、該複数のＯＦＤＭリソースブロックは、より高いレイヤのシグナリングで信号が送られる、請求項１に記載のシステム。
【請求項７】
前記アクセスノードは、リレーデータを物理ダウンリンク共有チャネル（ＰＤＳＣＨ）のいずれにでも送信するようにさらに構成されている、請求項１に記載のシステム。
【請求項８】
ワイヤレス通信システムであって、該システムは、
リレーダウンリンク制御情報（Ｒ−ＤＣＩ）を複数のリソースブロックで受信するように構成されているリレーノードを含む、システム。
【請求項９】
前記リレーノードは、１６直交振幅変調（ＱＡＭ）、６４ＱＡＭおよび２５６ＱＡＭのうちの１つで変調された前記Ｒ−ＤＣＩを受信するようにさらに構成されている、請求項８に記載のシステム。
【請求項１０】
前記Ｒ−ＤＣＩは、一定の直交周波数分割多重（ＯＦＤＭ）リソースブロックで送信される、請求項８に記載のシステム。
【請求項１１】
前記Ｒ−ＤＣＩは、リレー物理制御フォーマットインジケータチャネル（Ｒ−ＰＣＦＩＣＨ）を含み、前記Ｒ−ＤＣＩは、Ｎ個のＯＦＤＭシンボルを含んでおり、数Ｎは、該Ｒ−ＰＣＦＩＣＨによって定義される、請求項８に記載のシステム。
【請求項１２】
前記Ｒ−ＰＣＦＩＣＨは、前記Ｒ−ＤＣＩの第一のＯＦＤＭシンボルで受信される、請求項１１に記載のシステム。
【請求項１３】
前記Ｒ−ＤＣＩは、複数のＯＦＤＭリソースブロックで送信され、該複数のＯＦＤＭリソースブロックは、より高いレイヤのシグナリングで信号が送られる、請求項８に記載のシステム。
【請求項１４】
前記リレーは、放送制御チャネル（ＢＣＣＨ）を受信するようにさらに構成されており、前記Ｒ−ＤＣＩは、Ｎ個のＯＦＤＭシンボルを含み、数Ｎは、該ＢＣＣＨに含まれるシグナリングによって定義される、請求項８に記載のシステム。
【請求項１５】
前記Ｒ−ＤＣＩは、リレー物理ダウンリンク制御チャネル（Ｒ−ＰＤＣＣＨ）、リレー物理制御フォーマットインジケータチャネル（Ｒ−ＰＣＦＩＣＨ）およびリレー物理ハイブリッド自動再送要求インジケータチャネル（Ｐ−ＰＨＩＣＨ）のうちの少なくとも１つを含む、請求項８に記載のシステム。
【請求項１６】
ワイヤレス通信の方法であって、該方法は、
リレーダウンリンク制御情報（Ｒ−ＤＣＩ）ブロックを複数のリソースブロックで送信することを含む、方法。
【請求項１７】
前記Ｒ−ＤＣＩブロックは、一定数の直交周波数分割多重（ＯＦＤＭ）シンボルを含む、請求項１６に記載の方法。
【請求項１８】
前記Ｒ−ＤＣＩは、一定のＯＦＤＭリソースブロックで送信される、請求項１６に記載の方法。
【請求項１９】
前記Ｒ−ＤＣＩブロックは、Ｎ個のＯＦＤＭシンボルを含み、数Ｎを放送制御チャネル（ＢＣＣＨ）で送信することをさらに含む、請求項１６に記載の方法。
【請求項２０】
前記Ｒ−ＤＣＩは、複数のＯＦＤＭリソースブロックで送信され、該複数のＯＦＤＭリソースブロックは、より高いレイヤのシグナリングで信号が送られる、請求項１６に記載の方法。
【請求項２１】
前記Ｒ−ＤＣＩブロックは、Ｎ個のＯＦＤＭシンボルを含み、数Ｎは、媒体アクセス制御（ＭＡＣ）制御要素で送信することをさらに含む、請求項１６に記載の方法。
【請求項２２】
リレーデータに対するダウンリンクグラントを、物理ダウンリンク制御チャネル（ＰＤＣＣＨ）以外、物理制御フォーマットインジケータチャネル（ＰＣＦＩＣＨ）以外、物理ハイブリッド自動再送要求インジケータチャネル（ＰＨＩＣＨ）以外、かつ、前記Ｒ−ＤＣＩ以外のキャリアのいずれかのリソースブロックで送信することをさらに含む、請求項１６に記載の方法。
【請求項２３】
前記Ｒ−ＤＣＩを１６直交振幅変調（ＱＡＭ）変調コンステレーション、６４ＱＡＭ変調コンステレーションおよび２５６ＱＡＭコンステレーションのうちの１つを用いて変調することをさらに含む、請求項１６に記載の方法。
【請求項２４】
ワイヤレス通信の方法であって、該方法は、
リレーダウンリンク制御情報（Ｒ−ＤＣＩ）ブロックを複数のリソースブロックで受信することを含む、方法。
【請求項２５】
前記受信することは、一定の長さのＲ−ＤＣＩブロックに基づく、請求項２４に記載の方法。
【請求項２６】
前記Ｒ−ＤＣＩは、一定の直交周波数分割多重（ＯＦＤＭ）リソースブロックで送信される、請求項２４に記載の方法。
【請求項２７】
前記Ｒ−ＤＣＩブロックを１６直交振幅変調（ＱＡＭ）変調コンステレーション、６４ＱＡＭ変調コンステレーションおよび２５６ＱＡＭコンステレーションのうちの１つに従って、復調することをさらに含む、請求項２４に記載の方法。
【請求項２８】
前記Ｒ−ＤＣＩブロックは、該Ｒ−ＤＣＩの第一のＯＦＤＭシンボルに含まれるリレー物理制御フォーマットインジケータチャネル（Ｒ−ＰＣＦＩＣＨ）で伝えられる数Ｎを決定することに、少なくとも部分的に基づき、ここで、該数Ｎは、該Ｒ−ＤＣＩブロックによって含まれる該ＯＦＤＭシンボルの数を指定する、請求項２４に記載の方法。
【請求項２９】
前記Ｒ−ＤＣＩは、複数のＯＦＤＭリソースブロックで送信され、該複数のＯＦＤＭリソースブロックは、より高いレイヤのシグナリングで信号が送られる、請求項２４に記載の方法。
【発明の詳細な説明】
【背景技術】
【０００１】
（背景）
本明細書において用いられる場合、用語「ユーザエージェント」および「ＵＡ」は、いくつかの場合において、モバイル電話、パーソナルデジタルアシスタント、ハンドヘルドコンピュータまたはラップトップコンピュータ、および遠距離通信能力を有する類似のデバイスのようなモバイルデバイスを指し得る。そのようなＵＡは、加入者識別モジュール（ＳＩＭ）アプリケーション、ユニバーサル加入者識別モジュール（ＵＳＩＭ）アプリケーション、またはリムーバブルユーザ識別モジュール（Ｒ−ＵＩＭ）アプリケーションを含むユニバーサル集積回路カード（ＵＩＣＣ）などであるが、これらに限定されない、ＵＡおよびその関連する取り外し可能メモリモジュールから成り得る。あるいは、そのようなＵＡは、そのようなモジュールなしのデバイスそれ自体から成り得る。他の場合において、用語「ＵＡ」は、デスクトップコンピュータ、セットトップボックス、またはネットワークアプライアンスなど、類似の機能を有するが可搬ではないデバイスを指し得る。用語「ＵＡ」はまた、ユーザに対して通信セッションを終了させ得る任意のハードウェアコンポーネントまたはソフトウェアコンポーネントを指し得る。また、用語「ユーザエージェント」、「ＵＡ」、「ユーザ機器」、「ＵＥ」、「ユーザデバイス」および「ユーザノード」は、本明細書において同義語として用いられ得る。
【０００２】
通信技術が進化するにつれ、以前は可能ではなかったサービスを提供し得る、より先進のネットワークアクセス機器が導入されてきた。このネットワークアクセス機器は、従来の無線遠距離通信における同等の機器の改良品である、システムおよびデバイスを含み得る。そのような先進の機器または次世代の機器は、ロングタームエボリューション（ＬＴＥ）などの進化した無線通信規格に含まれ得る。例えば、ＬＴＥシステムは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（ｅＮＢ）、無線アクセスポイント、または従来のベースステーションではない類似のコンポーネントを含み得る。本明細書において用いられる場合、用語「アクセスノード」は、従来のベースステーション、無線アクセスポイント、またはＬＴＥ  ｅＮＢなどの無線ネットワークの任意のコンポーネントを指し、この任意のコンポーネントは、遠距離通信システムにおいてＵＡまたはリレーノードが他のコンポーネントにアクセスすることを可能にする受信および送信のカバレッジの地理的領域を作る。この書類において、用語「アクセスノード」および「アクセスデバイス」は、互いに、交換可能に用いられ得るが、アクセスノードは、複数のハードウェアおよびソフトウェアを含み得ることが理解される。
【０００３】
用語「アクセスノード」は、「リレーノード」を指さない。リレーノードは、アクセスノードまたは別のリレーノードによって作られるカバレッジを拡張または向上させるように構成されているワイヤレスネットワークにおけるコンポーネントである。アクセスノードとリレーノードは、両方共に、ワイヤレス通信ネットワークに存在し得る無線コンポーネントである。用語「コンポーネント」および「ネットワークノード」は、アクセスノードまたはリレーノードを指し得る。コンポーネントは、アクセスノードまたはリレーノードの構成および置かれ方に応じて、アクセスノードまたはリレーノードとして動作し得ることが理解される。しかし、コンポーネントは、アクセスノードまたは他のリレーノードのワイヤレスカバレッジがワイヤレス通信システムにおいて他のコンポーネントにアクセスすることを要求する場合のみ、「リレーノード」と呼ばれる。さらに、２つ以上のリレーノードが、アクセスノードによって作られるカバレッジを拡張または向上させるためにシリアルに用いられ得る。
【０００４】
ＬＴＥシステムは、無線リソース制御（ＲＲＣ）プロトコルのような、ＵＡとネットワークノードまたは他のＬＴＥ機器との間の無線リソースの振り当て、構成および解放を行うプロトコルを含み得る。ＲＲＣプロトコルは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）技術仕様書（ＴＳ）３６．３３１において詳細に説明される。ＲＲＣプロトコルに従って、ＵＡに対する２つの基本的ＲＲＣモードが「アイドルモード」および「接続モード」として定義される。接続モードまたは接続状態中に、ＵＡは、ネットワークと信号を交換し得、他の関連動作を行い得るが、一方で、アイドルモードまたはアイドル状態中に、ＵＡは、その接続モード動作のうちの少なくともいくつかをシャットダウンし得る。アイドルモード行動および接続モード行動は、３ＧＰＰ  ＴＳ３６．３０４およびＴＳ３６．３３１において詳細に説明される。
【０００５】
ＵＡ、リレーノード、アクセスノードの間でデータを運ぶ信号は、ネットワークノードによって指定され得る周波数パラメータ、時間パラメータ、コードパラメータおよび他の特性を有し得る。そのような特性のうちの特定のセットを有するこれら要素のうちのいずれかとの間の接続は、リソースと呼ばれ得る。用語「リソース」、「通信接続」、「チャネル」および「通信リンク」は、本明細書では同義語として用いられ得る。ネットワークノードは、典型的には、任意の特定のときに通信する各ＵＡまたは他のネットワークに対して異なるリソースを確立する。
【発明の概要】
【課題を解決するための手段】
【０００６】
（詳細な説明）
本開示の１つ以上の実施形態の例示的インプリメンテーションが下に提供されるが、開示されるシステムおよび／または方法は、現在公知であるか存在するかにかかわらず、任意の数の技術を用いてインプリメントされ得ることは、最初に理解されるべきである。本明細書で例示され、説明される例示的デザインおよびインプリメンテーションを含む、下で例示される例示的インプリメンテーション、図面および技術に対して、開示は決して限定されるべきではなく、添付の特許請求の範囲の範囲およびその相当物の完全な範囲内で改変され得る。
【０００７】
本開示のより完璧な理解のために、ここで、添付の図面および詳細な説明に関連して、以下の簡単な説明へ参照がなされる。類似の参照番号は、類似の部品を表す。
【図面の簡単な説明】
【０００８】
【図１】図１は、本開示の実施形態に従う、リレーノードを含むワイヤレス通信システムを例示する図である。
【図２】図２は、本開示の実施形態に従う、キャリアダウンリンクサブフレームの図表である。
【図３】図３は、本開示のいくつかの実施形態をインプリメントするのに適したプロセッサおよび関連コンポーネントを例示する。
【図４】図４は、本開示の実施形態に従う、リレーベース送信におけるサブフレームを例示する。
【図５】図５は、本開示の実施形態に従う、制御領域サイズの不一致の例を例示する。
【図６】図６は、本開示の実施形態に従う、制御領域サイズの不一致の別の例を例示する。
【図７】図７は、本開示の実施形態に従う、リレー制御チャネル構造を例示する。
【発明を実施するための形態】
【０００９】
図１は、開示の実施形態に従って、リレーノード１０２を用いたワイヤレス通信システム１００を例示する図表である。一般的に、本開示は、ＬＴＥネットワークまたはＬＴＥ−Ａｄｖａｎｃｅｄ（ＬＴＥ−Ａ）ネットワークのようなワイヤレス通信ネットワークにおけるリレーノードの使用に関し、開示される実施形態および主張される実施形態の全ては、ＬＴＥ−Ａネットワークにインプリメントされ得る。いく分か関連して、ＬＴＥは、リリース８およびリリース９に対応し、一方で、ＬＴＥ−Ａは、リリース１０に対応し、可能性としてはリリース１０を越えると言われ得る。リレーノード１０２は、ＵＡ１１０から受信された信号を増幅または再送し得、変調された信号をアクセスノード１０６で受信させ得る。リレーノード１０２のいくつかのインプリメンテーションにおいて、リレーノード１０２は、データを備えた信号をＵＡ１１０から受信し、次いで、新しいか、および／または異なる信号を生成することによって、データをアクセスノード１０６に送信する。リレーノード１０２は、また、データをアクセスノード１０６から受信し得、データをＵＡ１１０に搬送し得る。リレーノード１０２は、ＵＡ１１０がセルのために直接アクセスノード１０６に通信するより、むしろリレーノード１０２に通信し得るように、セルのエッジの近くに置かれ得る。
【００１０】
無線システムにおいて、セルは、受信および送信カバレッジの地理的エリアである。セルは、互いに重複し得る。典型的例において、互いに関連付けられた１つのアクセスノードがある。セルのサイズは、周波数バンド、電力レベルおよびチャネル状態のような要因によって決定される。リレーノード１０２のようなリレーノードは、セル内またはセルの近くのカバレッジを向上させるか、またはセルのカバレッジのサイズを拡張するために用いられ得る。加えて、リレーノード１０２の使用は、セル内の信号のスループットを向上させ得る。なぜなら、ＵＡ１１０がセルのために直接アクセスノード１０６に通信したとき、ＵＡ１１０が用い得るデータ率よりも高いか、または、より低い送電でＵＡ１１０は、リレーノード１０２にアクセスし得るからである。同じ量のバンド幅を用いた、より高いデータ率での送信は、より高いスペクトル効率を生み出し、より低い電力は、より少ないバッテリー電力を消費することによって、ＵＡ１１０に利益をもたらす。
【００１１】
一般的に、リレーノードは、３つのタイプに分割され得る。レイヤ１リレーノード、レイヤ２リレーノードおよびレイヤ３リレーノードである。レイヤ１リレーノードは、本質的には、増幅およびわずかな遅延以外は、改変を伴わず、送信を再送信し得るリピータである。レイヤ２リレーノードは、受信した送信を復調および復号化し得、復号化の結果を再符号化し得、次いで、変調されたデータを送信し得る。レイヤ３リレーノードは、完全な無線リソース制御能力を有し得、したがって、アクセスノードに類似して機能し得る。リレーノードによって用いられる無線リソース制御プロトコルは、アクセスノードによって用いられるものと同じであり得、リレーノードは、典型的にはアクセスノードによって用いられる独自のセルアイデンティティを有し得る。この開示の目的のために、遠距離通信システムにおいて、他のコンポーネントにアクセスするために、リレーノードは、少なくとも１つのアクセスノード（および、そのアクセスノードに関連付けられたセル）または他のリレーノードの存在を要求するという事実によって、アクセスノードから区別される。例示的実施形態は、主にレイヤ２リレーノードまたはレイヤ３リレーノードに関係している。そのため、本明細書で用いられた場合、「リレーノード」という用語は、特にそうでないと明言されない限り、レイヤ１リレーノードを指さない。
【００１２】
通信システム１００において、ワイヤレス通信を可能にするリンクは、３つの別個のタイプであると言い得る。第一に、ＵＡ１１０がアクセスノード１０６にリレーノード１０２を介して通信していると、ＵＡ１１０とリレーノード１０２との間の通信リンクは、アクセスリンク１０８に渡り生じると言われる。第二に、リレーノード１０２とアクセスノード１０６との間の通信は、リレーリンク１０４に渡り生じると言われる。第三に、直接ＵＡ１１０とアクセスノード１０６との間を、リレーノード１０２を通過せずに通る通信は、ダイレクトリンク１１２に渡り生じると言われる。「アクセスリンク」、「リレーリンク」および「ダイレクトリンク」という用語は、本明細書では、図１によって説明される意味に従って用いられる。
【００１３】
ここで図２に移ると、キャリアダウンリンクサブフレーム２００が論じられる。キャリアダウンリンクサブフレーム２００は、アクセスノード１０６によって送信され得、リレーノード１０２によってリレーリンクを介して受信され得るか、および／またはＵＡ１１０によってダイレクトリンク１１２を介して受信され得る。キャリアダウンリンクサブフレーム２００は、左から右へ、シンボル０からシンボルＭ−１へ順番に並べられた複数の直交周波数分割多重（ＯＦＤＭ）シンボルを含む。ここで、シンボル０は、シンボル１がアクセスノード１０６によって送信される前に、アクセスノード１０６によって送信される。シンボル１は、シンボル２がアクセスノード１０６によって送信される前に、アクセスノード１０６によって送信される。このように続く。ＯＦＤＭシンボルは、データシンボルとは異なる。データシンボルは、少なくとも１つの符号化ステップを経たユーザ情報である。ＯＦＤＭシンボルは、一連のデータシンボルであり、各々は、連続した一連のＯＦＤＭサブキャリア上で変調される。Ｍシンボルの集まりは、物理リソースブロックを含む。キャリアダウンリンクサブフレーム２００は、複数の物理リソースブロックを含む。図２は、ＲＢ０からＲＢ４９の５０の物理リソースブロックを含むキャリアダウンリンクサブフレーム２００を例示するが、他の実施形態において、キャリアダウンリンクサブフレーム２００は、より少ないリソースブロックまたはより多いリソースブロックのどちらかを含み得ることが理解される。
【００１４】
ダウンリンク制御情報は、サブフレーム２００の第一のＯＦＤＭシンボル２０２に提供され得る。第一のＯＦＤＭシンボル２０２に提供されたダウンリンク制御情報は、物理ダウンリンク制御チャネル（ＰＤＣＣＨ）、物理制御フォーマット情報チャネル（ＰＣＦＩＣＨ）および物理ハイブリッド自動再送要求インジケータチャネル（ＰＨＩＣＨ）のうちの１つ以上を含み得る。これらの制御チャネルは、ＵＥの使用に対して意図されており、リレーノードによって無視され得る。第一のブロック２０２の後のダウンリンクサブフレーム２００のＯＦＤＭシンボルのうちの残りは、ＬＴＥにおいて、ＵＥに送られるユーザプレーンデータに対して意図される物理ダウンリンク共有チャネル（ＰＤＳＣＨ）２０４と呼ばれ得る。ＬＴＥ−Ａにおいて、ＰＤＳＣＨ２０４は、リレーノード１０２に関する制御情報を含むリレーダウンリンク制御情報（Ｒ−ＤＣＩ）ブロック２０６を含み得る。実施形態において、リレーノード１０２は、一定の配置にあり、良いリンク品質を有することがあり得る。
【００１５】
実施形態において、Ｒ−ＤＣＩブロック２０６は、好ましくは、アクセスノード１０６によって、リソースブロックの中間または中央周波数範囲の周りに送信される。実施形態において、Ｒ−ＤＣＩブロック２０６に対して用いられるリソースブロックの数は、事前に構成され得るか、および／または固定され得る。しかし、別の実施形態において、Ｒ−ＤＣＩブロック２０６に対して用いられるリソースブロックの数は、ダイナミックに定義され得、リレーノード１０２に、より高いレイヤのメッセージに含まれるさまざまなメカニズムによって伝えられ得る。実施形態において、Ｒ−ＤＣＩブロック２０６は、アクセスノード１０６によって、リソースブロック１９とリソースブロック３０との間（例えば、リソースブロック２０からリソースブロック２９のうちの１つ以上）に送信され得る。実施形態において、Ｒ−ＤＣＩブロック２０６は、アクセスノード１０６によって、複数の隣接するリソースブロックに送信される。実施形態において、Ｒ−ＤＣＩブロック２０６は、アクセスノード１０６によって、複数の連続するリソースブロックに送信される。別の実施形態において、Ｒ−ＤＣＩブロック２０６は、アクセスノード１０６によって、複数の非連続的なリソースブロックに送信される。Ｒ−ＤＣＩブロック２０６のリソースブロックをキャリア周波数バンドのサブ範囲に制限することによって、リレーノード１０２のいくつかの実施形態は、キャリア周波数バンドの主題のサブ範囲に対して動作するように構成されている無線トランシーバーを配備し得、可能性としては、リレーノード１０２のコストを減少させるということは、本開示によって予想される。
【００１６】
実施形態において、アクセスノード１０６は、比較的高い変調次数を用いて、Ｒ−ＤＣＩブロック２０６を変調および送信し得る。なぜなら、リレーリンク１０４は、比較的高いリンク品質を有するからである。実施形態において、アクセスノード１０６は、Ｒ−ＤＣＩブロック２０６を変調し、リレーノード１０２に送信するために、１６値直交振幅変調（ＱＡＭ）変調コンステレーション、６４ＱＡＭ変調コンステレーションおよび２５６ＱＡＭコンステレーションのうちの１つを用いるように構成され得る。１つのサブフレームにおけるＲ−ＤＣＩは、前のサブフレームまたは続くサブフレームにおけるものとは異なる変調コンステレーションを用い得る。対応して、実施形態において、リレーノード１０２は、Ｒ−ＤＣＩブロック２０６を１６ＱＡＭ変調コンステレーション、６４ＱＡＭ変調コンステレーションおよび２５６ＱＡＭ変調コンステレーションのうちの１つを用いて復調するように構成され得る。一実施形態において、変調情報は、事前に構成されているか、および／または固定されている。
【００１７】
実施形態において、Ｒ−ＤＣＩブロック２０６は、一定数のＯＦＤＭシンボル（例えば、１つのＯＦＤＭシンボルまたは２つのＯＦＤＭシンボル）を含み得る。あるいは、別の実施形態において、Ｒ−ＤＣＩブロック２０６は、可変的な数ＮのＯＦＤＭシンボルを含み得る。本開示は、数Ｎの値をリレーノード１０２に提供する数多くのデザイン代替物を予想する。一実施形態において、Ｒ−ＤＣＩブロック２０６は、数Ｎの値をアクセスノード１０６からリレーノード１０２へ伝えるリレー物理制御フォーマット情報チャネル（Ｒ−ＰＣＦＩＣＨ）を含み得る。実施形態において、Ｒ−ＰＣＦＩＣＨは、Ｒ−ＤＣＩブロック２０６の第一のＯＦＤＭシンボルに配置され得る。別の実施形態において、アクセスノード１０６は、数Ｎの値をリレーノード１０２に放送制御チャネル（ＢＣＣＨ）および媒体アクセス制御（ＭＡＣ）の制御要素のうちの１つを介して伝え得るか、および／または信号を送り得る。別の実施形態において、アクセスノード１０６は、数Ｎの値をリレーノード１０２に無線リソース制御（ＲＲＣ）要素を介して伝え得るか、および／または信号を送り得る。別の実施形態において、アクセスノード１０６は、数Ｎの値をリレーノード１０２に、より高いレイヤのメッセージを介して伝え得るか、および／または信号を送り得る。
【００１８】
実施形態において、Ｒ−ＤＣＩブロック２０６は、上で説明されたＲ−ＰＣＦＩＣＨ情報を含み得る。加えて、実施形態において、Ｒ−ＤＣＩブロック２０６は、リレー物理ダウンリンク制御チャネル（Ｒ−ＰＤＣＣＨ）および／またはリレーダウンリンク物理ハイブリッド自動再送要求インジケータチャネル（Ｒ−ＰＨＩＣＨ）をさらに含み得る。実施形態において、ＯＦＤＭシンボルの数および／またはＲ−ＰＣＦＩＣＨ、Ｒ−ＰＤＣＣＨおよびＲ−ＰＨＩＣＨに割り当てられたリソースブロックの数は、アクセスノード１０６によって構成され得る。
【００１９】
実施形態において、リレーデータは、Ｒ−ＤＣＩブロック２０６ではなくＰＤＳＣＨブロック２０４のいずれかに置かれ得る。リレーデータは、ＰＤＳＣＨ２０４または後続するＲ−ＤＣＩ２０６のいずれかに振り当てられ得、変調され得る。リレーデータは、ＵＡ１１０にアクセスリンク１０８を介してリレーするリレーノード１０２に対するトラヒックを含み得る。リレーデータは、また、リレーノード１０２に関する、より高いレイヤの制御信号を含み得る。実施形態において、リレーデータに対するダウンリンクグラントは、Ｒ−ＤＣＩブロック２０６が送信された後にシンボルに対してＲ−ＤＣＩブロック２０６に割り当てられる同じリソースブロック（例えば、第二のブロック２０８）に置かれ得る。あるいは、リレーデータに対するダウンリンクグラントは、異なるセットのリソースブロック（例えば、第三のブロック２１０）に振り当てられ得る。実施形態において、ＵＡ１１０は、アクセスノード１０６にダイレクトリンク１１２を介して通信中であり得、データに対するダウンリンクグラントを第四のブロック２１２で受信し得る。当業者は、第二のブロック２０８、第三のブロック２１０および第四のブロック２１２の配置が例示的なものであり、ＰＤＳＣＨブロック２０４内の異なる場所に配置され得ることを容易に認める。実施形態において、古いＵＡ１１０は、第二のブロック２０８でダウンリンクグラントを振り当てられないことがある。別の実施形態において、将来またはより先進のＵＡ１１０は、第二のブロック２０８でダウンリンクグラントを振り当てあら得る。
【００２０】
上で説明されたＵＡ１１０および他のコンポーネントは、上で説明された行動に関する命令を実行する能力のある処理コンポーネントを含み得る。図３は、本明細書で開示される１つ以上の実施形態をインプリメントするのに適した処理コンポーネント１３１０を含むシステム１３００の例を例示する。（中央処理装置またはＣＰＵと呼ばれ得る）プロセッサ１３１０に加えて、システム１３００は、ネットワーク接続デバイス１３２０、ランダムアクセスメモリ（ＲＡＭ）１３３０、リードオンリーメモリ（ＲＯＭ）１３４０、二次記憶装置１３５０および入力／出力（Ｉ／Ｏ）デバイス１３６０を含み得る。これらのコンポーネントは、互いにバス１３７０を介して通信し得る。いくつかの場合において、これらのコンポーネントのうちのいくつかは、存在しないことがあるか、またはさまざまな組み合わせで互いに結合され得るか、または示されていない他のコンポーネントに結合され得る。これらのコンポーネントは、単一の物理エンティティまたは２つ以上の物理エンティティに配置され得る。プロセッサ１３１０によってとられる本明細書で説明される任意の行動は、プロセッサ１３１０単体またはデジタルシグナルプロセッサ（ＤＳＰ）１３０２のような、図面において示されているか、または示されていない１つ以上のコンポーネントと共同したプロセッサ１３１０によってとられ得る。ＤＳＰ５０２は、個々のコンポーネントとして示されるが、ＤＳＰ５０２は、プロセッサ１３１０に組み込まれ得る。
【００２１】
プロセッサ１３１０は、（ハードディスク、フロッピー（登録商標）ディスクまたは光ディスクのようなさまざまなディスクベースシステムを含み得る）ネットワーク接続デバイス１３２０、ＲＡＭ１３３０、ＲＯＭ１３４０または二次記憶装置１３５０からアクセスし得る命令、コード、コンピュータプログラムまたはスクリプトを実行する。１つのみＣＰＵ１３１０が示されるが、複数のプロセッサが存在し得る。したがって、命令は、プロセッサによって実行されるものとして論じられ得るが、命令は、同時に、シリアルに、または、その他の場合は、１つまたは複数のプロセッサによって実行され得る。プロセッサ１３１０は、１つ以上のＣＰＵチップとしてインプリメントされ得る。
【００２２】
ネットワーク接続デバイス１３２０は、モデム、モデムバンク、イーサネット（登録商標）デバイス、ユニバーサルシリアルバス（ＵＳＢ）インターフェイスデバイス、シリアルインターフェイス、トークンリングデバイス、ファイバー分散データインターフェイス（ＦＤＤＩ）デバイス、ワイヤレスローカルエリアネットワーク（ＷＬＡＮ）デバイス、符号分割多元接続（ＣＤＭＡ）デバイスのようなラジオトランシーバーデバイス、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ（登録商標））ラジオトランシーバーデバイス、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭＡＸ）デバイスおよび／またはネットワークへ接続する他の周知のデバイスの形態をとり得る。これらのネットワーク接続デバイス１３２０は、プロセッサ１３１０がインターネットまたは１つ以上の遠距離通信ネットワーク、またはプロセッサ１３１０が情報を受信し得るか、もしくはプロセッサ１３１０が情報を出力し得る他のネットワークに通信することを可能にし得る。ネットワーク接続デバイス１３２０は、また、データをワイヤレスで送信および／または受信する能力を有する１つ以上のトランシーバーコンポーネント１３２５を含み得る。
【００２３】
ＲＡＭ１３３０は、揮発性データを記憶し、可能性としては、プロセッサ１３１０によって実行される命令を記憶するために用いられ得る。ＲＯＭ１３４０は、典型的には二次記憶装置１３５０のメモリ容量よりも小さいメモリ容量を有する不揮発性メモリデバイスである。ＲＯＭ１３４０は、命令を記憶し、可能性としては、命令の実行中に読まれるデータを記憶するために用いられ得る。ＲＡＭ１３３０とＲＯＭ１３４０との両方へのアクセスは、典型的には、二次記憶装置１３５０へのアクセスよりも速い。二次記憶装置１３５０は、１つ以上のディスクドライブまたはテープドライブから構成され、データの不揮発性記憶のために用いられ得るか、またはＲＡＭ１３３０が全ての作業データを保持するのに十分大きくない場合は、オーバーフローデータ記憶装置デバイスとして用いられ得る。二次記憶装置１３５０は、プログラムが実行されるように選択されたとき、ＲＡＭ１３３０にロードされるそのようなプログラムを記憶するために用いられ得る。
【００２４】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識器、カードリーダー、紙テープリーダー、プリンター、ビデオモニターまたは他の周知の入力／出力デバイスを含み得る。また、トランシーバー１３２５は、ネットワーク接続１３２０のコンポーネントの代わり、またはそのコンポーネントに加えて、Ｉ／Ｏデバイス１３６０のコンポーネントであると考えられ得る。
【００２５】
さらなる実施形態および開示がここで提供される。
【００２６】
リレーは、システムスループットを向上させ、カバレッジを拡張するために用いられ得る。ＬＴＥ−Ａシステムにおいてリレーを観察する１つの方法は、２つのバックトゥバック（ｂａｃｋ−ｔｏ−ｂａｃｋ）トランシーバー（１つは、アクセスノードに通信し、１つは、ＵＥに通信する）と同様である。リレーが同じ周波数で受信および送信することを可能にするための十分な無線周波数フロントエンド隔離を有するリレーノードをデザインすることは、技術的に難しく、可能性としては費用がかかる。リレーが特定の周波数で一度に受信し、後に、その周波数で送信することを可能にする一種の時分割複信（ＴＤＤ）スキームが存在する必要性があり得ることを暗示する。
【００２７】
リリース１０（Ｒ１０）配備に対するリレーが指定されている。リレーがリリース８（Ｒ８）ＵＥをサポートするために、毎サブフレームに少なくとも物理制御チャネル情報（ＰＤＣＣＨ）のダウンリンク送信が存在する必要性があり得る。制御チャネル送信は、第一のいくつかのＯＦＤＭシンボル（１つと４つとの間）を含む。送信がＰＤＣＣＨのみを有する場合、それは、ＭＢＳＦＮサブフレームと呼ばれる。（この名前には古い理由がある）。ＭＢＳＦＮサブフレームは、図４に示されるように、アクセスノードからリレーリンクへ、リレーリンク上でダウンリンク転送を可能にするために用いられる。アクセスノードからリレーへの情報のダウンリンク転送は、ダウンリンクバックホールと呼ばれる。
【００２８】
ＭＢＳＦＮサブフレーム中に、リレーは、制御領域（例えば、ＰＤＣＣＨ）をダウンリンク上で（ＵＥに）送信し、次いで、ある方法によって、その送信器を機能停止させ、ダウンリンク送信をアクセスノードから、全てではない場合は、少なくともＭＢＳＦＮサブフレームの残りの部分のほとんどに対して受信し始める。Ｒ８  ＵＥ要件のために、リレーは、毎サブフレーム上で少なくともＰＤＣＣＨシンボルを送信することが要求され得る。これは、リレーがダウンリンクバックホール情報をアクセスノードから受信し得る唯一のときは、ＭＢＳＦＮサブフレーム中であることを意味する。
【００２９】
ＭＢＳＦＮサブフレームにおいて、制御領域は、１つまたは２つのＯＦＤＭシンボルであり得る。しかし、通常のサブフレームの制御領域は、３つまたは４つまでのＯＦＤＭシンボルであり得る。リレーは、データをアクセスノードからリレーＭＢＳＦＮサブフレームの制御領域中に受信し得ない。制御領域の後で、リレーノードは、データをアクセスノードから受信し得る。通常のサブフレームの制御領域サイズおよびリレーＭＢＳＦＮサブフレームの制御領域サイズの潜在的な不一致に起因して、３つの異なるシナリオが生じ得る。
【００３０】
第一のシナリオにおいて、リレーＭＢＳＦＮサブフレームは、対応するアクセスノードサブフレームよりも大きな制御領域を有する。例えば、リレーＭＢＳＦＮサブフレームの制御領域は、２つのＯＦＤＭシンボルを有し得るが、一方で、アクセスノードサブフレームの制御領域は、１つのみＯＦＤＭシンボルを有し得る。このシナリオは、図５に示される。この場合、リレーは、アクセスノードサブフレームのＰＤＳＣＨの一部を欠き得る。
【００３１】
第二のシナリオにおいて、リレーＭＢＳＦＮサブフレームは、対応するアクセスノードサブフレームよりも小さい制御領域を有する。例えば、リレーＭＢＳＦＮサブフレームの制御領域は、２つのＯＦＤＭシンボルを有し得るが、一方で、アクセスノードサブフレームの制御領域は、３つのＯＦＤＭシンボルを有し得る。このシナリオは、図６に示される。この場合、リレーは、アクセスノードサブフレームのＰＤＳＣＨを必要以上に早く受信し始めようと試み得る。リレーは、受信されたシンボルを、サブフレームのＰＤＳＣＨ部分が始まるまで無視し得る。アクセスノードサブフレームに対するデータの損失は、リレーの観点から生じない。
【００３２】
第三のシナリオにおいて、リレーＭＢＳＦＮサブフレームは、対応するアクセスノードサブフレームと同じサイズの制御領域を有する。例えば、リレーＭＢＳＦＮサブフレームの制御領域は、２つのＯＦＤＭシンボルを有し得、アクセスノードサブフレームの制御領域も２つのＯＦＤＭシンボルを有し得る。この場合、リレーノードは、アクセスノードサブフレームのＰＤＳＣＨをきっちりと時間通りに受信し始め得る。しかし、リレー切り替え遅延を考慮すると、いくらかのデータ損失は、生じ得る。
【００３３】
上の問題に対する２つのあり得る解決法がアクセスノード送信側にインプリメントされ得る。１つの解決法において、リレーＭＢＳＦＮサブフレーム中に、アクセスノードサブフレームは、一定のサイズの制御領域を有する。例えば、アクセスノードサブフレームは、２つのＯＦＤＭシンボルに固定され得る。あるいは、リレーが送信モードから受信モードへ切り替わるあり得る遅延を考慮すると、アクセスノードサブフレームの制御領域は、３つのＯＦＤＭシンボルに固定され得る。この解決法において、リレーは、決して、アクセスノードからのデータを欠かない。リレーＭＢＳＦＮサブフレーム中のアクセスノードに対する一定の制御領域のサイズは、半静的に構成され得、放送制御チャネル（ＢＣＣＨ）でリレーへ放送され得る。
【００３４】
別の解決法において、アクセスノードサブフレームの制御領域は、柔軟である。ＰＤＳＣＨの中で、アクセスノードは、アクセスノードサブフレームの制御領域に関わらず、データを第二のＯＦＤＭシンボルまたは第三のＯＦＤＭシンボルから始まり、リレーへ送信する。
【００３５】
これら２つの解決法のうちの第一の解決法は、リレー制御チャネルデザインおよびアクセスノードからのリレーデータ送信を単純化するので、わずかに好ましくあり得る。
【００３６】
これら解決法のどちらかにおいて、リレー受信側で、ＭＢＳＦＮサブフレーム中のリレー受信の開始時間は、リレーノードに対してアクセスノードによって半静的に構成され得る。
【００３７】
リレーは、第一のＮ  ＰＤＣＣＨ  ＭＢＳＦＮシンボルをアクセスリンク上で送信した後に初めてリレーリンクダウンリンク送信を受信し得る。ＰＣＦＩＣＨおよびＰＨＩＣＨは、常に第一のＯＦＤＭシンボルで送信されるので、ＰＣＦＩＣＨおよびＰＨＩＣＨを含む既存のＲ８制御チャネルデザインは、リレーによって受信され得ない。したがって、新たな制御チャネルは、リレーにダウンリンクバックホール上で送られているデータに対してデザインされる必要があり得る。実施形態において、データは、ＰＤＣＣＨに続く、用いられていないＯＦＤＭシンボル（つまり、ＰＤＳＣＨ）に一致し得る。
【００３８】
効率的なリレー制御チャネルのデザインは、アクセスノードが同じダウンリンクサブフレーム中に、ドナーセルＵＥおよびリレーへ送信し得るという事実と、セルのリレーのうちのＵＥと比較して比較的小さな数と、予想される良いリンク品質とは、リレー制御情報の量が限定され得、不変であり得ることを意味しているという事実とを考慮に入れる必要があり得る。
【００３９】
リレーダウンリンク制御情報の量は、以下の３つの理由のうちの１つ以上によって小さくあり得る。第一に、制御情報は、大部分がダウンリンクグラントおよびアップリンクグラントから構成される。システムのリレーの数は、ＵＥの数よりも小さいので、グラントの数は、より小さい。多くのＵＥに対するデータは、リレーのＩＤを用いて統合され、リレーに送られるように、データ集約スキームがあると考えられ得る。したがって、ダウンリンクリレー制御情報は、現在のＰＤＣＣＨ程多くのリソースを要求しない場合がある。
【００４０】
第二に、リレーリンクは、固定され、アクセスリンクよりも良いリンク品質を有する。物理制御チャネル上のより高い変調次数（例えば、１６−ＱＡＭまたは６４−ＱＡＭ）および空間多重方式が、リレー制御チャネルに対して要求される物理リソースを減少させるために用いられ得る。
【００４１】
第三に、リレーリンク制御情報は、（リレーＩＤを用いて）リレーノードのみに関する。そのため、アクセスノードが複数のユーザのデータをリレーに送信したとき、１つのみのジョイントダウンリンクグラントがリレーＩＤを用いてリレーノードに搬送される（つまり、ユーザごとの個々の制御情報はない）。これは、リレーリンクに対する制御情報量をさらに減少させる。
【００４２】
図７は、キャリアの中央でリソースブロック（ＲＢ）に送信されているリレーダウンリンク制御情報（Ｒ−ＤＣＩ）を示す。実施形態において、ＲＢの数は、事前に構成され得る。また、実施形態において、Ｒ−ＤＣＩのＯＦＤＭシンボルの数は、リレー物理制御フォーマットインジケータチャネル（Ｒ−ＰＣＦＩＣＨ）によってＰＣＦＩＣＨに類似する様態で、指示される。Ｒ−ＤＣＩの後のＭＢＳＦＮサブフレームにおける残りのＯＦＤＭシンボルは、リレーまたはＬＴＥ−Ａ（Ｒ１０）ＵＥに対するダウンリンクデータ送信のために用いられ得る。このエリアは、Ｒ８ＵＥに対しては用いられ得ない。なぜなら、Ｒ８ＵＥは、後のリリースで指定されるＲ−ＤＣＩを理解し得ないからである。スケジューラの観点から、リレーおよびＲ１０ＵＥは、ＭＢＳＦＮサブフレームのＰＤＳＣＨ部分に対して任意のＲＢを振り当てられ得るが、一方で、Ｒ８ＵＥは、Ｒ−ＤＣＩの外の任意のＲＢに振り当てられ得る。
【００４３】
Ｒ−ＰＣＦＩＣＨは、Ｒ−ＤＣＩの第一のシンボルに配置され得るが、ダイバーシティ利得に対する周波数で広がり得る。実施形態において、Ｒ−ＰＣＦＩＣＨを受信した後で、リレーは、Ｒ８ＵＥがＰＤＣＣＨを復号化するのと類似する様態で、リレーＩＤに基づいてリレー物理ダウンリンク制御チャネル（Ｒ−ＰＤＣＣＨ）を無目的に復号化する。Ｒ−ＰＤＣＣＨにおいて、グラントメッセージは、リレーがＲ−ＤＣＩに後続するデータか、またはＰＤＳＣＨにおけるデータをどのように受信するか知っている点で、フォーマットされ得る。リレーノードが連続してＲ−ＰＤＣＣＨを復号化する場合、リレーノードは、共有チャネルデータ送信に対する任意の物理リソースを見つけ得る。
【００４４】
干渉を避けるために、アクセスノードは、ドナーセルＵＥでのデータ送信に対して保存されているＲ−ＰＤＣＣＨリソースおよびＲ−ＰＣＦＩＣＨリソースを用いない。ダウンリンクチャネルの中間のいくつかのリソースブロックは、保存され得ることによって、Ｒ−ＰＤＣＣＨおよびＲ−ＰＣＦＩＣＨを置く。Ｒ−ＰＤＣＣＨは、可能な限り細幅に保たれる必要があり得る。しかし、デマンドが増すにつれ、Ｒ−ＰＤＣＣＨは広くなり得る。Ｒ−ＰＤＣＣＨを含むＲＢの配置は、アクセスノードによって構成され得る。
【００４５】
リレー制御チャネルに対する限定された数の保存されたＰＲＢを中央周波数の周りに置くことは、少なくとも２つの利点を有する。第一に、リレーノードは、アクセスノードに比較して、より小さいバンド幅を有し得る。制御チャネルを中央周波数に置くことは、より小さいバンド幅のリレーノードが、まだ、リレー制御情報を受信し得ることを保証し得る。制御チャネルが全体のバンドに対して拡散またはバンドエッジに置かれた場合、リレーノードは、アクセスノードと同じバンド幅構成を必要とし得る。第二に、リレー制御情報に対するＲＢの数を限定することは、ドナーセルＵＥに対するスケジューリングの柔軟性を増やす。図７に見られるように、ドナーセルＵＥを送信するために用いられるリソースは、領域１および領域２を除外する領域３のＲＢである。そのため、領域１および領域２の周波数ドメインサイズを限定することによって、ドナーセルＵＥは、より多くのスケジューリングの柔軟性を有し得る。
【００４６】
Ｒ−ＤＣＩにおいて、アクセスノードは、リレー−アクセスノード送信に対するアップリンクリソースを容認し得る。現在、Ｒ８ＬＴＥ仕様書において、ＵＥに対するアップリンクグラントは、１つのサブフレームに対して有効であるに過ぎない。各アップリンク送信に対して、アクセスノードは、半永続的スケジューリングが構成されない限り、アップリンクグラントを送る必要があり得る。リレーは、特定のサブフレーム（ＭＢＳＦＮサブフレーム）上でアクセスノードを聞き得るに過ぎず、ＵＥがＭＢＳＦＮ中に送信することは難しいので、アップリンクスケジューリンググラント情報に、より多くの柔軟性が必要であり得る。特に、リレーアップリンクグラントにおいて、サブフレーム情報を振り当てる能力を有することが有用であり得る。実施形態において、１つのアップリンクグラントで、グラントごとの１つのみのアップリンク送信機会の代わりに、複数のアップリンク送信機会がリレーに与えられる。例えば、リレーに対するアップリンクグラントにおいて、アクセスノードは、リレーに、アクセスノードが後に送信し得ることを通知し得る。
【００４７】
実施形態において、ワイヤレス通信システムが提供される。システムは、Ｒ−ＤＣＩを複数のリソースブロックで送信するように構成されているアクセスノードを含む。
【００４８】
別の実施形態において、別のワイヤレス通信システムが提供される。システムは、Ｒ−ＤＣＩを複数のリソースブロックで受信するように構成されているリレーノードを含む。
【００４９】
別の実施形態において、ワイヤレス通信のための方法が提供される。方法は、Ｒ−ＤＣＩブロックを複数のリソースブロックで送信することを含む。
【００５０】
別の実施形態において、ワイヤレス通信のための別の方法が提供される。方法は、Ｒ−ＤＣＩブロックを複数のリソースブロックで受信することを含む。
【００５１】
以下は、本明細書に参照することによって、全ての目的のために援用される。３ｒｄ  Ｇｅｎｅｒａｔｉｏｎ  Ｐａｒｔｎｅｒｓｈｉｐ  Ｐｒｏｊｅｃｔ（３ＧＰＰ）技術仕様書（ＴＳ）３６．８１３および３ＧＰＰ  ＴＳ３６．８１４。
【００５２】
いくつかの実施形態が本開示で提供されているが、開示されるシステムおよび方法は、本開示の精神または範囲から逸脱することなしに、多くの他の特定の形態において具現化され得ることは、理解されるべきである。本例は、例示的として考えられるべきであり、制限的ではない。意図は、本明細書に与えられた詳細に限定されるものではない。例えば、さまざまな要素またはコンポーネントが別のシステムにおいて組み合わせられ得るか、または統合され得る。または、ある特徴は、省略され得るか、またはインプリメントされない場合がある。
【００５３】
また、別個または個々としてさまざまな実施形態で説明され、例示された技術、システム、サブシステムおよび方法は、本開示の範囲から逸脱することなしに、他のシステム、モジュール、技術または方法と組み合わせられ得るか、または統合され得る。互いに連結されたか、直接連結されたか、または通信するものとして示されるか、または論じられた他の項目は、電気的、機械的またはその他に関わらず、インターフェイス、デバイスまたは中間コンポーネントを通して間接的に連結または通信し得る。変更、交換および代替の他の例は、当業者によって確かめられ得、本明細書に開示された精神および範囲から逸脱することなしに、なされ得る。
【図１】
2012520620.tif 000003
【図２】
2012520620.tif 000004
【図３】
2012520620.tif 000005
【図４】
2012520620.tif 000006
【図５】
2012520620.tif 000007
【図６】
2012520620.tif 000008
【図７】
2012520620.tif 000009
【国際調査報告】
2012520620.tif 000010
2012520620.tif 000011